(57)【要約】【課題】本発明は、風速を落とさずに風量の顕著な増大を図り、軽量でコンパクトな形態をなし、十分な送風路を確保することによる低騒音化をはかるヘアドライヤーを提供することを目的とする。【解決手段】本発明に係るヘアドライヤーＡは、本体部１０と把持部５０とを有し、前記本体部には空気移送手段、すなわち第１動翼１８及び第２動翼２０と該空気移送手段の動力源である駆動手段、すなわちモーター１６とを有し、前記駆動手段は、当該駆動手段を駆動し、かつ、制御する回路基板を備え、前記回路基板は、少なくとも発熱する回路を有する主として駆動基板４０を備える第１回路基板と発熱しない回路を有する主として電源基板４２を備える第２回路基板とからなり、前記第１回路基板は、前記本体部における前記空気移送手段の空気流れの下流側に配置したことを特徴とする。【選択図】        図１
2020199019.tif 000002
【特許請求の範囲】
【請求項１】
空気の吸引口と吐出口とを有する本体部と、当該本体部から延設された把持部とを有する加熱送風装置であって、
前記本体部には、空気を吸引口から吸引して吐出口から吐出する空気移送手段と、該空気移送手段の動力源である駆動手段とを有し、
前記駆動手段は、当該駆動手段を駆動し、かつ、制御する回路基板を備え、
前記回路基板は、少なくとも発熱する回路を有する第１回路基板と発熱しない回路を有する第２回路基板とからなり、
前記第１回路基板は、前記本体部における前記空気移送手段の空気流れの下流側に配置した
ことを特徴とするヘアドライヤー。
【請求項２】
前記第２回路基板は、前記把持部に配置した
ことを特徴とする請求項１に記載のヘアドライヤー。
【請求項３】
前記駆動手段がブラシレス直流モーターである
ことを特徴とする請求項１又は２に記載のヘアドライヤー。
【請求項４】
前記空気移送手段は、プロペラファンである
ことを特徴とする請求項１〜３のいずれか１項に記載のヘアドライヤー。
【発明の詳細な説明】
【技術分野】
【０００１】
本発明は、ヘアドライヤーに関する。
【背景技術】
【０００２】
ヘアドライヤーにおいては、特許文献１に示されるように、ブラシレス直流モーターを使用しているヘアドライヤーの場合には、スイッチング素子を含み発熱する回路を含むパワー回路と交流−直流コンバーターや速度制御回路を含み発熱が少ない電源・制御回路とを一体化した基板が、ファンの駆動手段であるモーターの下流側に設けられているのが一般的である。
【０００３】
また、下記特許文献２に示されるように、パワー回路とモーターに流れる電流を制御する回路とが一体となった回路基板がファンの下流に配置され、発熱が大きなパワー回路から発生する熱の放熱を図っている場合がある。
【先行技術文献】
【特許文献】
【０００４】
【特許文献１】特開平４−２６５６５６号公報
【特許文献２】特開２０１２−１３０４４２号公報
【発明の概要】
【発明が解決しようとする課題】
【０００５】
しかしながら、上記背景技術における加熱送風装置では、空気の流路に制御回路とパワー回路が搭載された基板を配置したので、基板面積で送風路が狭くなるため風の抵抗が大きくなって風量の低下を招いていた。また、空気の流路に大きな基板を配置するので送風路の長さが長くなり、ヘアドライヤーの大型化をまねき取り扱いにくくなるほか、基板が送風路を塞がない構造のシロッコファンやターボファンなどの特殊なファンを使用しなければ、実施が困難であった。
【０００６】
さらに、髪を早く乾燥させるためには、風量とともに風速を落とさないことが必要であり、本発明は風速を落とさずに風量の顕著な増大をはかることで、女性の長い髪の乾燥時間短縮を目的とした。
【０００７】
本発明は、ヘアドライヤーの動作に必要な回路基板を、発熱が少なく冷却を要しない電源・制御回路を含む第２回路基板と、ブラシレス直流モーターに使用され発熱し冷却を要するスイッチング素子を含むパワー回路を含む第１回路基板とに分離して、発熱するので空冷が必要な第１回路基板のみファン下流に配置して、送風路を通過する風の抵抗を低減し風速を落とすことなく風量の顕著な増大を図るとともに、ヘアドライヤー本体のコンパクト化と十分な送風路を確保することによる低騒音化を図るものである。
【０００８】
そのため、第２回路基板は、ヘアドライヤーの送風路以外でファンで発生する風が吐出口に流動するにあたって流動の妨げにならないスペースに配置する。
【課題を解決するための手段】
【０００９】
本発明の請求項１に係るヘアドライヤーは、空気の吸引口と吐出口とを有する本体部と、当該本体部から延設された把持部とを有する加熱送風装置であって、前記本体部には、空気を吸引口から吸引して吐出口から吐出する空気移送手段と、該空気移送手段の動力源である駆動手段とを有し、前記駆動手段は、当該駆動手段を駆動し、かつ、制御する回路基板を備え、前記回路基板は、少なくとも発熱する回路を有する第１回路基板と発熱しない回路を有する第２回路基板とからなり、前記第１回路基板は、前記本体部における前記空気移送手段の空気流れの下流側に配置したことを特徴とする。
【００１０】
本発明の請求項２に係るヘアドライヤーは、上記請求項１のヘアドライヤーの構成に加えて、前記第２回路基板は、前記把持部に配置したことを特徴とする。
【００１１】
本発明の請求項３に係るヘアドライヤーは、上記請求項１又は２のヘアドライヤーの構成に加えて、前記駆動手段がブラシレス直流モーターであることを特徴とする。
【００１２】
本発明の請求項４に係るヘアドライヤーは、上記請求項１〜３のいずれか１項のヘアドライヤーの構成に加えて、前記空気移送手段は、プロペラファンであることを特徴とする。
【発明の効果】
【００１３】
従来は、本体部側に電源・制御回路を含む回路基板とブラシレス直流モーターに使用され発熱し冷却を要するスイッチング素子を含むパワー回路からなる回路基板とを一体的に配置していたが、これを２分割して本体部側にスイッチング素子を含むパワー回路からなる回路基板を空気移送手段の空気流れの下流側に配置し、他の発熱しない回路基板を本体部側の隙間領域や把持部側に移すことにより本体部側の基板を小型化することができるため、風量の増大を図ることができ、軽量でコンパクト化が図れる。
【００１４】
本体部側に発熱するパワー回路を配置したので、空気移送手段、例えばファンからの送風により強制冷却ができ、パワー回路の加熱による損傷が防止でき、ヘアドライヤーの寿命の長期化が図れる。
【００１５】
高速回転が可能であり、それゆえ小型で大きな風量を得ることができるブラシレス直流モーターを使用することにより、モーター自体をコンパクト化することができると共にヘアドライヤーそのものもコンパクト化することができる。
【００１６】
以上の結果、風量の増大を図り、軽量でコンパクトな形態をなすヘアドライヤーを提供することができた。
【図面の簡単な説明】
【００１７】
【図１】本発明の実施例を示すヘアドライヤーの中央縦断面図である。
【図２】本発明の実施例を示すヘアドライヤーのブロック図である。
【発明を実施するための形態】
【００１８】
本発明は、少なくとも冷却が必要な発熱する回路基板を空気流路のファンの下流に設け、冷却が必要ではない回路基板は、空気流路のファンの下流以外の箇所、例えば本体部側の隙間領域や把持部（ハンドル部）に設けることにより、空気流路の抵抗を低減して風量を顕著に増大させ、装置全体をコンパクト化したヘアドライヤーである。
【００１９】
次に本発明の好適な実施例を添付の図面に基づいて詳細に説明する。
【実施例１】
【００２０】
図１に示すＡは、本実施例の正面中央を縦に切断して内部構造を示したヘアドライヤーであって、ヘアドライヤーＡは、主として本体部１０と、本体部に対して折り畳み可能なようにヒンジ部３０を介在して延設された把持部５０とで構成される。
【００２１】
本体部１０は、本体カバー１１でケーシングされ、図において右側には空気取り入れ口である吸引口１２を備え、左側には吹出ノズル１４ａを先端に取り付けた吐出口１４を備えている。
【００２２】
また、本体部１０の内部には、空気移送手段としてのプロペラファンである第１動翼１８及び第２動翼２０と、該空気移送手段の動力源である駆動手段、すなわちモーター１６とが備えられている。
【００２３】
前記空気移送手段は、プロペラファンであり、当該プロペラファンが駆動手段によって回転することにより、空気を吸引口１２から吸引し、本体部１０内の空気流路を通過する空気流れＢが生じ、吐出口１４から吐出し、吹出ノズル１４ａから吹き出す風を発生させる。本実施例における当該プロペラファンは、第１動翼１８と、当該第１動翼１８と同回転方向に連動する第２動翼２０が直列に取り付けられてなるダブルファン式のプロペラファンで構成される。
【００２４】
当該第１動翼１８は、モーターカバー１５で覆われた駆動手段としてのモーター１６のモーター軸１６ａに取り付けられ、モーター１６が回転することにより、モーター軸１６ａに取り付けられた第１動翼１８と第２動翼２０とが回転して風を発生させる。なお、ダブルファン式のプロペラファンを使用すると風量があり、風速が早い点で優れているが、シングルのプロペラファンを使用してもよく、シロッコファンやターボファンを使用してもよい。本体部の前方側内周には、ヒーター２２が配置されている。
【００２５】
把持部５０には、ヘアドライヤーＡの電源の入り切り、風速の切替、温風と冷風との切替とを操作するスイッチ５２と、当該スイッチにより操作された作動状態を表示するＬＥＤ表示部５４とが配設されており、下端には電源コード５６が接続されている。
【００２６】
そして、本実施例においては、駆動手段としての前記モーターはブラシレス直流モーターを使用しており、当該駆動手段には、これを駆動し、かつ、制御する回路基板を備えている。なお、駆動手段としては、本実施例のブラシレス直流モーターに限られるものではなく、電子回路基板を必要とする、インバータ回路とＡＣモーターの組合せや、ＡＣサーボモーターなどでも使用できるが、軽量化やコストなどの点を考慮するとブラシレス直流モーターが好ましい。
【００２７】
本実施例における回路基板は、主として駆動基板４０を備える第１回路基板と、主として電源基板４２を備える第２回路基板とからなり、図２のブロック図に示すように、第１回路基板はブラシレス直流モーターを使用した場合には発熱するスイッチング素子を含む回路を有しており、第２回路基板は発熱しない回路を有しており、把持部５０における電源コード５６から給電される電気が各回路に流れて、各回路が備える機能を発揮するように構成されている。
【００２８】
そして、第１回路基板は、図１に示すように、本体部１０におけるモーター１６の前方側においてプロペラファン、すなわち第１動翼１８及び第２動翼２０により吹き出される送風路、すなわち本体部における前記空気移送手段の空気流れの下流側にされ、プロペラファン、すなわち第１動翼１８及び第２動翼２０により吹き出される風により冷却されるようになっている。
【００２９】
第２回路基板は、発熱しない回路であり、特に冷却する必要がないため把持部５０やヘアドライヤーに形成されている空隙部１３に収納されている。特に第２回路基板におけるＡ回路群は、本来第１回路基板と一体に構成されているものであるが、発熱しない回路であるため、第１回路基板から分離して第２回路基板に包含したものである。そのため、第１回路基板を縮小することができるので、周囲から送風するシロッコファンやターボファンを使用する以外に、本実施例のようにモーターの回転軸方向に送風する、いわゆる軸流のプロペラファンを採用することが可能となり、その結果、大風量の風を吹き出すことが可能となり、本体部の軽量化及びコンパクト化が図れるようになった。
【００３０】
また、特にプロペラファンは軸流のため高速回転と低騒音化に適したファンであり、他のシロッコファンやターボファンよりも、高効率で大風量化が可能である。そのため送風路に位置する第１回路基板の基板サイズは小さいほど大風量化と低騒音化が可能であり、さらなる基板サイズの縮小化により、性能向上の可能性がある。試作サンプルにおいて、顕著な大風量化が測定できており、従来型直流モーターとの比較で２５％向上（２．０から２．５立米／分）している。
【００３１】
ちなみに、シロッコファンやターボファンは風速や風圧を優先するためのファンであり、風量については１．６立米／分程度と大きな格差となっており、本発明による効果は極めて大きいと言える。
【００３２】
さらに、髪を早く乾燥させるためには、風量とともに風速を落とさないことが必要であり、本発明は風速を落とさずに風量の顕著な増大をはかることで、女性の長い髪の乾燥時間短縮を目的とした。風量だけを高めるためには、吹き出し口の面積を相当程度大きくすることで、従来の直流モーターでも比較的容易に大風量化が可能であり、セールスポイントとして２．５立米／分を数値面で訴求することも可能であるが、吹き出し口が広くなるため風速が落ちることとなり、本発明と比較し髪の乾燥時間は短縮できない。風速を落とさずに乾燥できる吹き出し口の直径については、プロペラファンタイプのドライヤーの吸い込み口の大きさにより変化するが、概ね４５mmから６５mmの範囲と考えられる。
【００３３】
なお、第２回路基板におけるＢ回路群は、従来のヘアドライヤーにおいては把持部５０に収納されるものであるが、第２回路基板の少なくともＡ回路群は必ずしも把持部５０に収納する必要はなく、例えば本体部１０における本体カバー１１とモーターカバー１５との間に形成される空隙部１３その他の空隙部に配置してもよいが、本体部１０の軽量化を図る意味では把持部５０側に配置するのが好ましい。
【００３４】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３５】
Ａ・・・ヘアドライヤー
１０・・本体部
１１・・本体カバー
１２・・吸引口
１３・・空隙部
１４ａ・吹出ノズル
１４・・吐出口
１５・・モーターカバー
１６・・モーター（ブラシレス直流モーター）（駆動手段）
１６ａ・モーター軸
１８・・第１動翼（後段ファン）（空気移送手段）
２０・・第２動翼（前段ファン）（空気移送手段）
２２・・ヒーター
３０・・ヒンジ部
４０・・駆動基板
４２・・電源基板
５０・・把持部（ハンドル部）
５２・・スイッチ
５４・・ＬＥＤ表示部
５６・・電源コード
Ｂ・・・空気流れ
【図１】
2020199019.tif 000003
【図２】
2020199019.tif 000004